(57)【要約】半自動スイッチが、動作検知センサと協働して作動し、電化製品に電力を供給するように手動でも作動する。半自動スイッチの作動は、手動でオフになると停止され、動作検知センサからの信号は送信されない。半自動スイッチの作動が停止すると、動作検知センサからの信号が送信されるか否かによらず、再び手動で作動する。【選択図】図１
2012510105.tif 000002
【特許請求の範囲】
【請求項１】
動作検知センサに接続され、電気エネルギーを使用するロード部に電力を供給する半自動スイッチであって、
入力切換器と、
ロード部に電力を供給する切換装置と、
入力切換装置が作動する場合に切換装置を作動してロード部に電力を供給し、切換装置が作動する状態で動作検知センサからの信号が送信されない場合に切換装置の作動を停止してロード部に供給される電力を遮断するコントローラとを備え、
コントローラは、切換装置が作動しない場合に、動作検知センサからの信号が送信されるか否かによらず、入力切換器が作動されるか否かに従って切換装置を作動する
ことを特徴とする半自動スイッチ。
【請求項２】
コントローラが、切換装置が作動する状態で動作検知センサからの信号が送信される場合に切換装置の作動を維持する
請求項１に記載の半自動スイッチ。
【請求項３】
入力切換器が、手動で作動する
請求項１に記載の半自動スイッチ。
【請求項４】
電力が、入力切換器の作動によってコントローラに供給される
請求項１に記載の半自動スイッチ。
【請求項５】
入力切換器が作動されるか否かに従って、コントローラに電力を供給する電力供給コントローラを備える
請求項４に記載の半自動スイッチ。
【請求項６】
動作検知センサに接続され、電気エネルギーを使用するロード部に電力を供給する半自動スイッチであって、
作動時にロード部に電力を供給する切換装置と、
切換装置が作動する状態で動作検知センサからの検知信号が送信される場合に、切換装置の作動を停止してロード部に供給される電力を遮断するコントローラとを備え、
コントローラは、切換装置が動作しない場合、動作検知センサからの検知信号によらず、切換装置の作動の停止を維持する
ことを特徴とする半自動スイッチ。
【請求項７】
切換装置が手動で作動し、切換装置の作動が、手動で停止されるか、コントローラの制御によって停止される
請求項６に記載の半自動スイッチ。
【請求項８】
切換装置を作動する入力切換器を備え、入力切換器が作動すると、切換装置は作動し、切換装置の作動は、入力切換器の作動が停止するか、入力切換器が再作動すると、停止する
請求項６に記載の半自動スイッチ。
【請求項９】
コントローラが、切換装置が作動すると供給される電力によって作動する
請求項６に記載の半自動スイッチ。
【請求項１０】
切換装置が、
ガイド部と、
ガイド部に沿って移動し、ロード部に供給される電力の電力供給路を形成または遮断する移動部と、
外側から入力される力によって移動部を押下する圧力部と、
圧力部の圧力が移動部に加わる方向と反対方向に移動部に弾性力を加える弾性部材と、
移動部の移動を制御し、コントローラからの信号に従って作動する磁気スイッチとを備え、
移動部が、圧力部によって加わる圧力と、弾性部材によって加わる弾性力によって、ガイド部に沿って移動する
請求項６に記載の半自動スイッチ。
【請求項１１】
移動部が、ガイド部に沿って電力供給路が遮断される初期位置から電力供給路が形成される作動位置に移動し、次に、ガイド部に沿って作動位置から初期位置まで移動する
請求項１０に記載の半自動スイッチ。
【請求項１２】
移動部が、磁気スイッチの作動によって作動位置から初期位置まで戻る
請求項１１に記載の半自動スイッチ。
【請求項１３】
ガイド部が、初期位置に移動部を配置する初期停止部と、
初期位置から作動位置まで移動部を移動させる第１のガイド部と、
作動位置に移動部を配置する中央停止部と、
作動位置から初期位置まで移動部を移動させる第２のガイド部と、
移動部を誘導して初期位置に配置する回転可能なヒンジ部材とを備える
請求項１２に記載の半自動スイッチ。
【請求項１４】
移動部が、
ガイド溝と、
ガイド溝に沿って移動可能に形成されるガイド突起と、
ガイド部に弾性力を加える弾性部材とを備え、
ガイド突起が、ガイド溝に配置され、ガイド部に沿って移動する
請求項１３に記載の半自動スイッチ。
【請求項１５】
コントローラが、切換装置が作動する場合で、動作検知センサからの検知信号が送信されない場合に時間を計測し、計測時間が所定時間を経過しても、検知信号が送信されない場合に切換装置の作動を停止する
請求項１に記載の半自動スイッチ。
【請求項１６】
コントローラが、計測時間が所定時間を経過した回数を示す反復数が所定数より大きい場合に、切換装置の作動を停止する
請求項１５に記載の半自動スイッチ。
【請求項１７】
動作検知センサの入力側に設置され、コントローラからの信号に従って作動し、動作検知センサに信号が入力される範囲を変化させるセンサコントローラを備える
請求項１に記載の半自動スイッチ。
【請求項１８】
コントローラが、切換装置が作動すると、所定時間までにセンサコントローラに開／閉動作、回転動作または震動動作を実行させる
請求項１７に記載の半自動スイッチ。
【請求項１９】
コントローラが、切換装置が作動する場合で、動作検知センサからの検知信号が送信されない場合に時間を計測し、計測時間が所定時間を経過しても、検知信号が送信されない場合に切換装置の作動を停止する
請求項６に記載の半自動スイッチ。
【請求項２０】
動作検知センサの入力側に設置され、コントローラからの信号に従って作動し、動作検知センサに信号が入力される範囲を変化させるセンサコントローラを備える
請求項６に記載の半自動スイッチ。
【発明の詳細な説明】
【技術分野】
【０００１】
本発明は半自動スイッチに関する。
【背景技術】
【０００２】
省エネルギー政策によって、電気エネルギーを節約する研究実施されている。特に、電化製品に関しては、使用者が長時間使用しない場合に製品への電力供給を遮断する技術が開発されている。
【０００３】
さらに、使用者の制御を問わず、特定の場所に所定時間人がいないなどの特定の条件が満たされている場合に、電気装置への電力供給を遮断する自動オン／オフスイッチが開発されている。
【０００４】
この場合、受動型焦電形赤外線センサ（ＰＩＲ）や能動型マイクロ波センサなどの人を検知するセンサを使用することができる。センサが人を検知すると、ロードに接続されたスイッチは自動で閉じて、電力をロードに供給する。しかし、センサが人を検知しない場合、スイッチは自動で開いて、ロードに供給される電力は遮断される。
【０００５】
このような技術に基づく自動オン／オフスイッチには、電気エネルギーを節約し、スイッチを手動でオン／オフにする必要がある不便を取り除く利点がある。
【０００６】
このような理由で、自動オンオフスイッチが利用される分野が徐々に増えている。例えば、自動オン／オフスイッチには、照明産業分野、警報装置産業分野、電力消費よる電気エネルギーの節約が必要とされる分野、家庭電化製品分野及び他の分野で使用することができる。
【０００７】
自動オン／オフスイッチを使用すれば多くの利点があるが、実際には、センサの故障などの問題があるために、このようなスイッチを使用している分野はほとんどない。さらに具体的には、検知するセンサとしての能動型マイクロ波センサでは、受信範囲が狭く、さらに、受信範囲内で動作する物体をすべて検知するため、不必要なオン／オフ動作が生じる。
【０００８】
また、受動型ＰＩＲセンサがあらゆる生物からの赤外光に反応するため、犬や猫、外部から入力される光や熱変化よって、スイッチのオン／オフ動作が不必要に生じるなどの問題がある。
【０００９】
電化製品を作動させようとしなくても、検知センサが作動する周辺を人が通れば、スイッチは自動でオンになり、電化製品が作動する。このため、センサの受信範囲内でスイッチのオン／オフ動作を制御するのは不可能である。
【００１０】
問題を解決するために他の装置が開発されているが、そのスイッチを製造する単位原価が上昇している。さらに、問題が完全に解決するわけではないため、そのような装置は実質的に使用されていない。
【００１１】
従って、実際には、玄関、階段、警報装置、自動ドア及び他のものに取り付けられる照明を使用する分野を除いて、自動オン／オフスイッチが使用される分野がない。
【００１２】
自動オン／オフスイッチの関連技術として、特許文献１に開示されている節電スイッチがある。節電スイッチでは、対応する照明は、使用者によって自動スイッチボタンまたは手動スイッチボタンを押下するなどして手動で点灯される。さらに、センサが所定時間停止するようになるため、使用者がセンサの受信範囲に入ってもセンサが使用者を検知することができない。一方、センサが受信範囲から出る使用者を検知すると、照明は自動で消灯されるか、使用者に照明を消灯させるように所定の音が出力される。
【００１３】
しかし、多くの人が受信範囲内にいても、スイッチは作動しない。さらに、この場合、１人は受信範囲から出ても、別の人がそこに留まっていれば、スイッチはオフになる。さらに、照明が点灯すると、単に自動スイッチボタンを操作することによって自動で消灯されるが、手動スイッチボタンを操作する場合、照明は使用者によって手動消灯される。
【００１４】
このため、使用者が手動スイッチボタンを操作した後に受信範囲から出ると、手動スイッチボタンを自動スイッチボタンと間違えるため、照明は点灯状態で維持されることから、照明の電力消費が増大する。
【００１５】
自動オン／オフスイッチの別の関連技術としては、自動モード機能を備える節電スイッチとその制御方法があり、特許文献２に開示されている。その関連技術は、センサが移動物体やドアが開くのを検知すると、照明が自動で点灯する節電スイッチを提供する。その後、センサが、再び移動物体またはドアが開くのを検知すると、節電スイッチは、照明を自動で消灯する。
【００１６】
特許文献２の節電スイッチは、特許文献１の節電スイッチに比して別の自動オン／オフ機能を備える。このため、特許文献２の節電スイッチには、センサの故障によって照明が点灯／消灯を不必要に繰り返すという問題など、特許文献１の節電スイッチに関する問題が存在している。
【００１７】
この背景技術に開示される上記の情報は、本発明の背景技術の理解を高めるにすぎないことから、すでに本国の当業者に知られている従来技術を成さない情報を含むことがある。
【先行技術文献】
【特許文献】
【００１８】
【特許文献１】韓国登録特許第１０−４５４５３２号
【特許文献２】韓国公開特許第２００５−０１０３１２１号
【発明の概要】
【発明が解決しようとする課題】
【００１９】
本発明は、故障を減らし、容易に使用される利点を有する半自動スイッチを提供することを課題とする。
【００２０】
また、電力を効率的に節減する利点を有する半自動スイッチを提供することを課題とする。
【課題を解決するための手段】
【００２１】
本発明の典型的な実施形態では、動作検知センサに接続され、電気エネルギーを使用するロード部に電力を供給する半自動スイッチを提供する。
その半自動スイッチは、
【００２２】
入力切換器と、
【００２３】
ロード部に電力を供給する切換装置と、
【００２４】
入力切換器が作動する場合に切換装置を作動してロード部に電力を供給し、切換装置が作動する状態で動作検知センサからの信号が送信される場合に切換装置の作動を停止してロード部への電力供給を遮断するコントローラとを備え、
【００２５】
コントローラは、切換装置が作動しない場合に、動作検知センサからの信号が送信されるかどうかによらず、入力切換器が作動されるかどうかに従って切換装置を作動する。
【００２６】
本発明の別の実施形態では、動作検知センサに接続され、電気エネルギーを使用するロード部に電力を供給する半自動スイッチを提供する。
その半自動スイッチは、
【００２７】
作動時にロード部に電力を供給する切換装置と、
【００２８】
切換装置が作動する状態で動作検知センサからの検知信号が送信される場合に、切換装置の作動を停止してロード部に供給される電力を遮断するコントローラとを備え、
【００２９】
コントローラは、切換装置が作動しない場合、動作検知センサからの検知信号によらず、切換装置の作動の停止を維持する。
【００３０】
なお、切換装置は、手動で作動してもしなくてもよく、コントローラの制御によって作動しなくてもよい。
【発明の効果】
【００３１】
本発明の典型的な実施形態によれば、スイッチによって供給される電力によって作動する装置を使用すれば、装置を簡単に使用し、電力節減をもたらすことが可能である。
【００３２】
特に、スイッチがオフになった後のセンサからの信号によらずにスイッチが手動でオンになるため、動作検知センサによる故障を防ぐことが可能である。
【００３３】
また、条件が満たされている場合に、使用者の制御によらず、スイッチが自動でオフになるため、スイッチの使用時の不都合を解決しながら、電力を効率的に節減することが可能である。
【００３４】
さらに、自動でオフになった後にスイッチが手動でオンになるまで、スイッチのオフ状態は維持される。
【００３５】
従来技術では、使用者がある領域の動作検知センサの近くに立つ場合、その領域で設置される電化製品はいずれも、使用者の意思に反してオンまたはオフになることがある。しかし、この場合、本発明の典型的な実施形態によれば、使用者は、要求に応じて電化製品の少なくとも１つを選択的に操作することが可能である。
【００３６】
また、使用者を監視してスイッチが自動でオンになることによる待機電力が消費されるのを防ぐことが可能である。
【図面の簡単な説明】
【００３７】
【図１】本発明の第１の典型的な実施形態による半自動スイッチの構成図
【図２】本発明の第１の典型的な実施形態による半自動スイッチのフローチャート
【図３】本発明の第１の典型的な実施形態による半自動スイッチの待機電力の消費を防ぐ構成要素の接続を示す説明図
【図４】本発明の第１の典型的な実施形態による半自動スイッチの待機電力の消費を防ぐ構成要素の接続を示す説明図
【図５】本発明の第２の典型的な実施形態による半自動スイッチの構成図
【図６】本発明の第２の典型的な実施形態による半自動スイッチの待機電力の消費を防ぐ構成要素の接続を示す説明図
【図７】本発明の第３の典型的な実施形態によるスイッチ装置の斜視図
【図８】図７のスイッチ装置の分解斜視図
【図９】図８の移動部の斜視図
【図１０】図８の移動部がケースに接続されることを示す分解斜視図
【図１１】図８のガイド部の平面図
【図１２】本発明の第３の典型的な実施形態による切換装置の作動状態を示す説明図
【図１３】本発明の第３の典型的な実施形態による切換装置の動作状態を示す説明図
【図１４】本発明の第４の典型的な実施形態による半自動スイッチの構成図
【発明を実施するための形態】
【００３８】
以下の詳細な説明では、本発明の特定の典型的な実施形態のみを単に実例として示して説明する。当業者に認識されるように、実施形態は、本発明の趣旨または範囲から逸脱することなくさまざまな方法で修正してもよい。このため、図面及び記載は、説明目的であり、制限目的ではない。同様の符号は、同様の要素を示す。
【００３９】
明細書全体を通して、異なる記載を明示していないかぎり、「備える」という用語と、「含む」または「備えている」などの語形変化は、記載する構成要素の包含を意味し、他の要素を除外するものではない。
【００４０】
これより、本発明の典型的な実施形態による半自動スイッチに関して説明する。
【００４１】
本発明の典型的な実施形態による半自動スイッチでは、半自動スイッチは手動で作動し、半自動スイッチの作動は、自動または手動で停止する。
【００４２】
さらに具体的には、本発明の典型的な実施形態による半自動スイッチは、動作検知センサに接続される電化製品への電気エネルギーの電力供給手段として機能する。本願明細書では、電化製品は、電気によって作動するあらゆる種類の製品のことである。
【００４３】
動作検知センサとしては、対象物体が存在しているかどうかや、対象物体が動いているかどうかを検知する場所に配置される受動型焦電形赤外線（ＰＩＲ）センサや能動型マイクロ波センサなどのセンサを使用してもよい。
【００４４】
上に記載するように動作検知センサが作動すると、半自動スイッチは使用者によって手動で作動する。その後、半自動スイッチは、半自動スイッチの作動後の動作検知センサとの相互作用によって自動で停止する。
【００４５】
さらに、半自動スイッチは半自動スイッチの作動後の動作検知センサによらず、手動で作動停止してもよい。
【００４６】
上に記載するように、半自動スイッチは手動で作動するため、半自動スイッチの作動が停止すると動作検知センサから送信される信号が無視される。これにより、動作検知センサの故障から半自動スイッチの故障を防ぐことが可能である。
【００４７】
本発明の典型的な実施形態によれば、スイッチが作動すると、半自動スイッチによって電力が電化製品に供給される。また、スイッチの作動を停止すると、電化製品に供給される電力が、半自動スイッチによって遮断される。
【００４８】
これより、よく理解し、説明を容易にするため、「スイッチの作動」は、「スイッチがオンなる」と記載し、「スイッチの作動の停止」は、「スイッチがオフになる」と記載する。
【００４９】
これより、本発明の典型的な一実施形態による半自動スイッチに関して記載する。
【００５０】
図１は、本発明の第１の典型的な実施形態による半自動スイッチの構成図である。
図１に示すように、本発明の第１の典型的な実施形態による半自動スイッチ１には、入力切換器１０、コントローラ２０及び切換装置３０が備えられる。特に、半自動スイッチ１は、動作検知センサ２に接続され、さらに電気エネルギーを使用する装置、すなわちロード部３に接続される。
【００５１】
入力切換器１０は、手動で操作される操作ボタンと協働して作動する。例えば、使用者が操作ボタンを押下すると、入力切換器１０はオンになる。その後、使用者が再びボタンを押下したり、ボタンが押下される状態が変化したりすると、入力切換器１０はオフになる。
【００５２】
切換装置３０は、コントローラ２０から送信される信号に従って作動し、オンになるとロード部３に電力を供給し、オフになるとロード部３に供給される電力を遮断する。切換装置３０は、コントローラ２０からの信号によって作動する作動モジュールと、作動モジュールによってオン／オフ状態を変える切換モジュールとを備える形態で実施してもよい。
【００５３】
コントローラ２０は、入力切換器１０及び／または動作検知センサが２から送信される信号に基づいて切換装置３０の作動を制御する。さらに具体的には、切換装置３０がオンになると、動作検知センサ２から送信される信号に従って、コントローラは切換装置３０をオフにする。
【００５４】
このため、入力切換器１０がオンになると、コントローラ２０は切換装置３０をオンにし、切換装置３０がオンの場合で、入力切換器１０はオフにならない場合は、動作検知センサ２から送信される信号に従って切換装置３０をオフにする。この時点で、コントローラ２０は、切換装置３０をさらに効率的に制御するためにタイマ２１を備えてもよい。
【００５５】
また、切換装置３０がオンの場合で、入力切換器１０がオフになる場合は、コントローラ２０は切換装置３０をオフにしてもよい。
【００５６】
コントローラ２０の制御、言わば、本発明の第１の典型的な実施形態による半自動スイッチのコントローラ２０から送信される信号に従って切換装置３０はオン／オフされる。そこで、半自動スイッチを「間接操作法による半自動スイッチ」と呼んでもよい。
【００５７】
次に、本発明の第１の典型的な実施形態による半自動スイッチの動作に関して記載する。
【００５８】
図２は、本発明の第１の典型的な実施形態による半自動スイッチの動作フローチャートである。
【００５９】
半自動スイッチはオフであることを前提とする。半自動スイッチがオフの場合、半自動スイッチが手動でオンになると、換言すると、入力切換器１０は使用者によってオンになると、コントローラ２０は切換装置３０に作動信号を送信し、切換装置をオンにする（Ｓ１００〜Ｓ１１０）。
【００６０】
切換装置３０がオンになると、切換装置３０に接続されたロード部３に電力が供給され、ロード部３は作動する。例えば、ロード部３が領域に配置される照明であれば、その照明は、手動でオンになった切換装置３０と協働して点灯される。
【００６１】
切換装置３０がオンのとき、対象物体が存在しているかどうか、対象物体は動いているかどうかによって生成される、動作検知センサ２から送信される検知信号を有するコントローラ２０が提供される。本願明細書では、動作検知センサ２は、対象物体が領域にある場合に、コントローラ２０に検知信号を送信し、対象物体が領域にない場合は送信しないことを前提とする。本発明は、これに制限されない。
【００６２】
切換装置３０がオンの場合で、動作している検知センサ２から検知信号が送信される場合は、コントローラ２０は切換装置３０を制御してオン状態を維持する（Ｓ１２０〜Ｓ１３０）。これにより、切換装置３０がオン状態でも、対象物体が領域にあると判断される場合は、切換装置３０によってロード部３に電力が連続供給されることにより、ロード部３の作動を維持する。
【００６３】
一方、切換装置３０がオンの場合で、検知信号が動作検知センサ２から送信されない場合は、コントローラ２０はタイマ２１を作動する（Ｓ１４０）。
【００６４】
コントローラ２０は、タイマ２１による計測時間を所定時間と比較し、計測時間が所定時間より長いかどうかを判断する（Ｓ１５０）。しかし、検知信号が動作検知センサ２から送信されない時点からの計測時間が所定時間を経過すると、コントローラ２０は切換装置３０をオフにする（Ｓ１６０）。その結果、切換装置３０によってロード部３に供給される電力が遮断され、ロード部３の作動が停止する。
【００６５】
一方、検知信号が動作検知センサ２から送信されない時点からの計測時間が所定時間経過していない場合で、検知信号が動作検知センサ２から送信される場合は（Ｓ１７０）、コントローラ２０がタイマ２１を初期化し、切換装置３０がオンの状態を維持し続ける。
【００６６】
さらに、入力切換器がオフの場合で、計測時間が所定時間経過していない場合は、動作検知センサ２からの検知信号によらず、コントローラ２０は切換装置３０をオフにしてロード部３に供給される電力を遮断する。
【００６７】
上に記載するように、切換装置３０がコントローラ２０によってオフになった後に切換装置３０が手動でオンにならないかぎり、換言すると、入力切換器が手動でオンにならないかぎり、切換装置３０のオフ状態は維持され、ロード部３に供給される電力は遮断される。
【００６８】
このため、動作検知センサ２の故障によって生成される検知信号が、いつコントローラ２０に送信されても、コントローラ２０は検知信号を無視し、切換装置３０のオフ状態を維持する。これにより、動作検知センサ２の故障によるロード部３の不必要な作動を防ぐことが可能である。
【００６９】
第１の典型的な実施形態では、入力切換器１０がオフになり、切換装置３０が入力切換器１０によってオンになった後に電力がロード部３に供給される場合、コントローラ２０は切換装置３０を直接オフにしてロード部３に供給する電力を遮断する。
【００７０】
一方、第１の典型的な実施形態で制御の信頼性を得るため、コントローラ２０は、計測時間が制御変数としての所定時間を経過する間に反復数を用い、計測時間と所定時間を比較するほかに、さらに反復数を所定数と比較する。
【００７１】
さらに具体的には、ステップＳ１５０で計測時間が所定時間経過すると、切換装置３０を直接オフにすることなく、コントローラ２０は反復数を１加算し、加算した反復数を所定数と比較する。加算した反復数が所定数より大きい場合、コントローラ２０は切換装置３０をオフにしてもよい。
【００７２】
加算した反復数が所定数以下の場合、コントローラ２０は、タイマ２１を初期化してＳ１２０に処理を移し、検知信号が動作検知センサ２から送信されるかどうかを判断する。その後、以降のステップは判断結果に基づいて実行される。
【００７３】
上に記載するように、検知信号が送信されなかった時点からの計測時間が所定時間を経過する条件が反復して満たされると切換装置３０はオフになる。これにより、信頼性の高い安定した制御が実行される。
【００７４】
本発明の第１の典型的な実施形態によれば、例えば、ロード部が領域に配置される照明であり、半自動スイッチが手動でオンになれば照明は点灯する。その領域に人がいないと判断した後に所定時間が経過した場合、半自動スイッチがコントローラによってオフにされることから、照明は消灯される。
【００７５】
半自動スイッチがオフの状態後に半自動スイッチが使用者によって手動でオンにされないかぎり、照明が点灯していないため、対象物体として動物を検知したり、外側からの光や熱を検知するなどの動作検知センサの故障によって照明がオンになったりするのを防ぐのが可能である。これにより、電力を効率的に節減することができる。
【００７６】
照明が消灯されている場合で、半自動スイッチが使用者によってオンにされる場合にのみ、照明は点灯される。このとき、使用者が要求に応じて半自動スイッチをオンしたため、半自動スイッチの使用に関して問題も不都合もないと言える。
【００７７】
一方、第１の典型的な実施形態による半自動スイッチで待機電力を節減するために、入力切換器１０の作動と協働してコントローラ２０に電力を供給してもよい。言い換えると、コントローラ２０の作動時に必要な待機電力が、入力切換器１０の未作動時に消費されないようにするために、入力切換器１０が作動するとコントローラ２０に電力に供給し、入力切換器１０が再び作動したり、オフになったりすると、コントローラ２０に電源を遮断することが可能である。
【００７８】
図３は、本発明の第１の典型的な実施形態による半自動スイッチの待機電力の消費を防ぐ構成要素の接続を示す。
【００７９】
図３に示すように、本発明の第１の典型的な実施形態による半自動スイッチでは、切換装置３０は電源に直列接続され、コントローラ２０は切換装置３０に直列接続される。
【００８０】
また、ロード部３は半自動スイッチに接続される。言い換えると、入力切換器１０の端末が電源に接続され、入力切換器１０の別の端末がコントローラ２０に接続される。コントローラ２０の端末が入力切換器１０に接続され、コントローラ２０の別の端末は電源に接続される。切換装置３０の端末が電源に接続され、切換装置３０の別の端末がロード部３に接続され、コントローラ２０からの信号に従って作動する。
【００８１】
構成要素間のこのような接続によって、入力切換器１０はオンになると、電源からの電力がコントローラ２０に供給される。コントローラ２０は、電力が供給され、切換装置３０を作動する場合に、入力切換器１０がオンであることを判断する。言い換えると、コントローラ２０は、作動信号を出力して切換装置３０を作動すると、切換装置３０のスイッチがオンになり、切換装置３０が作動して、ロード部３に電源からの電力が供給されるようになる。
【００８２】
反対に、入力切換器１０がオフになると、電源からコントローラ２０への電力は遮断されることにより、コントローラ２０の作動を停止して作動信号の出力を停止する。その結果、切換装置３０のスイッチはオフになり、切換装置３０によってロード部３に供給される電力を遮断する。
【００８３】
上に記載するように、入力切換器１０がオンになる場合にのみ、電源からの電力はコントローラ２０に供給される。これにより、コントローラ２０の作動による待機電力の消費、特に、動作検知センサ２から検知信号を受信するかどうかをチェックすることによる電力消費を防ぐ。このため、電力を効率的に節減することが可能である。
【００８４】
さらに、別の電力供給制御手段を使用してコントローラ２０に供給される電力を制御し、待機電力の消費を防ぐことが可能である。
【００８５】
図４は、本発明の第１の典型的な実施形態による半自動スイッチの待機電力の消費を防ぐ構成要素の別の接続を示す。
【００８６】
図４では、本発明の第１の典型的な実施形態による半自動スイッチには、入力切換器１０の作動状態に基づいて、コントローラ２０に電源を供給する電力供給コントローラ４０がさらに備えられている。
【００８７】
さらに具体的には、入力切換器１０の端末が電源に接続され、入力切換器１０の別の端末が電力供給コントローラ４０に接続され、電力供給コントローラ４０の端末がコントローラ２０に接続され、電力供給コントローラ４０の別の端末が電源に接続される。
【００８８】
コントローラ２０の端末が電力供給コントローラ４０に接続され、コントローラ２０の別の端末が電源に接続される。切換装置３０の端末が電源に接続され、切換装置３０の別の端末がロード部３に接続され、切換装置３０はコントローラ２０からの作動信号に従って作動する。
【００８９】
本願明細書では、入力切換器１０は、その接点が接続され、作動時に直接切り離される方法で作動する。例えば、使用者が入力切換器１０を押下すると、入力切換器１０はオンになったり、直接オフになったりする。このため、入力切換器１０が押下されると、電力供給コントローラ４０が作動し、電力供給コントローラ４０によってコントローラ２０に電力が供給される。
【００９０】
次に、図３を参照して記載するように、コントローラ２０は作動して切換装置３０を作動して、電源がロード部３に供給される。電力がロード部３に供給される場合に入力切換器１０が再び押下されると、電力供給コントローラ４０はオフになり、コントローラ２０に供給される電力が遮断される。これにより、切換装置３０のスイッチはオフになり、ロード部３に供給される電力は遮断される。
【００９１】
一方、切換装置３０がオンの場合で、動作検知センサ２からの検知信号が所定時間送信給されない場合は、コントローラ２０は切換装置３０をオフにしてロード部３に供給される電力を遮断し、次に、電力供給コントローラ４０をオフにしてコントローラ２０に供給される電力を遮断する。これにより、待機電力の消費を防ぐ。
【００９２】
これより、本発明の第２の典型的な実施形態による半自動スイッチに関して記載する。
【００９３】
本発明の第２の典型的な実施形態による半自動スイッチは、第１の典型的な実施形態とは異なり、入力切換器の作動に従って作動する切換装置を備える。言い換えると、切換装置は、入力切換器の作動状態に従って、コントローラの制御によらずに作動する。また、切換装置は、作動時にコントローラからの作動信号に従って作動してもよい。
【００９４】
図５は、本発明の第２の典型的な実施形態による半自動スイッチの構成図を示す。
【００９５】
図５に示すように、本発明の第２の典型的な実施形態による半自動スイッチ１には、第１の典型的な実施形態のように、入力切換器１０、コントローラ２０及び切換装置３０が備えられる。コントローラ２０はタイマを備える。第２の典型的な実施形態による半自動スイッチ１は、第１の典型的な実施形態と基本的に同じ動作する。
【００９６】
第２の典型的な実施形態では、同じような符号は、第１の典型的な実施形態の同じような要素を示し、第１の典型的な実施形態と同じ構成要素の機能に関する記載を控える。
【００９７】
第１の典型的な実施形態とは異なり、本発明の第２の典型的な実施形態の切換装置３０は、入力切換器１０と協働して作動する。
【００９８】
さらに具体的には、図５に示すように、入力切換器１０がオンになると、切換装置３０は作動してロード部３に電力を供給し、入力切換器１０がオフになると、切換装置３０の作動は停止してロード部３への電力を遮断する。
【００９９】
コントローラ２０は動作検知センサ２からの信号に従って切換装置３０を制御する。
【０１００】
切換装置３０は、コントローラ２０からの作動信号に従って作動するが、半自動スイッチ１がオフの場合に作動信号が送信されても作動しない。さらに、切換装置３０は、入力切換器１０の制御によらず、半自動スイッチ１がオンの場合で、作動信号が送信されない場合に作動を停止する。
【０１０１】
本発明の第２の典型的な実施形態による半自動スイッチでは、切換装置３０は、入力切換器１０の作動に従って作動する。これにより、半自動スイッチは「直接作動構成の半自動スイッチ」と呼ばれる。
【０１０２】
本発明の第２の典型的な実施形態による半自動スイッチの動作は、第１の典型的な実施形態と同じであり、第１の典型的な実施形態とは異なり、コントローラ２０によらず、入力切換器１０が作動すると、切換装置３０は作動してロード部３に電力を供給する。
【０１０３】
第１の典型的な実施形態のように、ロード部３に電力を供給する場合、コントローラ２０の制御に応じて、切換装置３０の作動は停止してもよい。言い換えると、所定時間が経過するまで動作検知センサ２からの検知信号が送信されない場合、切換装置３０の作動はコントローラ２０によって停止され、ロード部３に供給される電力が遮断される。
【０１０４】
また、第１の典型的な実施形態のように、電力がロード部３に供給される場合で、入力切換器１０が作動も再作動もしない場合は、切換装置３０の作動は停止してロード部３に供給される電力を遮断する。
【０１０５】
一方、第２の典型的な実施形態による半自動スイッチで待機電力消費を節減するために、切換器３０の作動と協働してコントローラ２０に電力を供給してもよい。換言すると、切換装置３０が作動しない場合にコントローラ２０が動作することによる待機電力を防ぐために、切換装置３０が入力切換器１０によって作動するとコントローラ２０に電力が供給され、切換装置３０の作動が停止するとコントローラ２０に供給される電力は遮断される。
【０１０６】
図６は、本発明の第２の典型的な実施形態による半自動スイッチの待機電力の消費を防ぐ構成要素の接続を示す。
【０１０７】
図６を参照して、本発明の第２の典型的な実施形態による半自動スイッチでは、切換装置３０の端末は電源に接続され、切換装置３０の別の端末はコントローラ２０に接続される。コントローラ２０の端末が電源に接続される。ロード部３の端末が切換装置３０に接続され、ロード部３の別の端末が電源に接続される。
【０１０８】
このような接続によって、入力切換器１０が作動すると、切換装置３０は作動し、切換装置３０によってコントローラ２０に電力が供給され、切換装置３０によってロード部３にも電力が供給される。
【０１０９】
そこで、コントローラ２０は、対象物体が動作検知センサ２からの信号に基づいて存在しているかどうかを判断し、対象物体が存在しないことが判断される場合は、切換装置３０の作動を停止する。
【０１１０】
一方、切換装置３０の作動が、入力切換器１０またはコントローラ２０によって停止される場合、ロード部３及びコントローラ２０に供給される電力は遮断される。
【０１１１】
上に記載するように、切換装置が作動する場合にのみ、コントローラ２０に電力が供給され、コントローラ２０の作動による待機電力が消費されるのを防ぎ、効率的に電力を節減する。
【０１１２】
目的に応じて、このような接続は選択的に実施される。待機電力を常に供給してコントローラ２０を作動させる場合、コントローラ２０は切換装置３０を自動でオフしてもよい。特に、半自動スイッチの切換装置がオフの場合、オフ状態は、動作検知センサ２からの信号によらず維持される。これにより、電力が動作検知センサ２の故障によって不必要に消費されるのを防ぐことが可能である。
【０１１３】
これより、本発明の第３の典型的な実施形態による半自動スイッチに関して記載する。
【０１１４】
図７は、本発明の第３の典型的な実施形態による半自動スイッチの外側斜視図を示し、図８は、図７の半自動スイッチの分解斜視図である。
【０１１５】
本発明の第３の典型的な実施形態による半自動スイッチは、第１及び第２の典型的な実施形態のようにコントローラ２０及び切換装置３０を備える。
【０１１６】
切換装置３０は、自動または手動でオフになるように構成される。本発明の第３の典型的な実施形態による半自動スイッチには、必要に応じて入力切換器１０を選択的に備えてもよい。
【０１１７】
入力切換器１０が備えられる場合では、切換装置３０は、入力切換器１０の作動に連携してオン／オフされるように構成される。
【０１１８】
本願明細書では、よく理解し，説明を容易にするため、コントローラ及び切換装置には、第１の典型的な実施形態と同じ符号が割り当てられる。
【０１１９】
図７及び図８に示すように、切換装置３０はケース３１に形成されるガイド部３２と、ガイド部３２に沿って動作する移動部３３と、移動部３３を押下する圧力部３４と、圧力が移動部３３に加わる方向と反対方向に弾性力を加える弾性部３５とを備える。この切換装置は、ガイド部３２と連携して移動部３３の移動を制御する磁気スイッチ３６をさらに備え、コントローラ２０からの信号に従って作動する。
【０１２０】
本願明細書では、圧力部３４は切換装置３０を操作する操作ボタンとして機能し、入力切換器１０が半自動スイッチ１に備えられる場合、入力切換器１０は圧力部３４の作動と連携してオン／オフしてもよい。
【０１２１】
電力供給路は、移動部３３の移動状態に基づいて形成されたり、遮断されたりする。
【０１２２】
移動部３３は、圧力部３４によって電力供給路が遮断される初期位置からＹ軸の方向に移動し、弾性部３５は移動部３３の移動によって収縮して、初期位置に移動部３３を戻すために−Ｙ軸の方向に弾性力を加える。移動部３３は、電力供給路が形成される作動位置に到達するまで圧力部３４によって移動する。
【０１２３】
その後、移動部３３は、圧力部３４によって加えられた圧力と弾性部３５によって加えられた弾性力によってガイド部３２に沿って移動したり、コントローラ２０によって作動する磁気スイッチ３６によって作動位置から初期位置に戻ったりする。移動部３３が作動位置にない場合は、電力供給路は遮断される。
【０１２４】
図９は本発明の典型的な実施形態による移動部３３の斜視図を示し、図１０は、移動部３３がケース３１に接続されることを示す分解斜視図である。
【０１２５】
図９及び図１０に示すように、本発明の典型的な実施形態による移動部３３は、ガイド溝３３１と、ガイド溝３３１に沿って移動可能なガイド突起３３２と、ガイド突起３３２に弾性力を加える弾性部材３３３とを備える。
【０１２６】
ガイド突起３３２は、ガイド溝３３１に沿って移動するように形成され、ガイド部３２に接続する位置に配置される。この時点では、図９のＸ軸の方向に、弾性部材３３３による弾性力がガイド突起３３２に連続して加わる。
【０１２７】
図１１は本発明の典型的な実施形態によるガイド部の平面図を示す。
【０１２８】
図１１に示すように、ガイド部３２は初期位置で移動部３３を停止させる初期停止部３２１と、初期位置から作動位置へ移動部３３を移動させる第１のガイド部３２２と、作動位置で移動部３３を停止させる中央停止部３２３と、作動位置から初期位置まで移動部３３を移動させる第２のガイド部３２４と、初期位置に配置されるように移動部３３を誘導し、回転可能になるように形成されるヒンジ部材３２５とを備える。
【０１２９】
移動部３３のガイド突起３３２は、ガイド部３２の初期位置に配置され、磁気スイッチ３６の一部が、中央停止部３２３で接続されるように形成され、移動部３３のガイド突起３３２は、中央停止部３２３によって停止され、その位置に配置される。
【０１３０】
さらに具体的には、図１１の拡大部分に示すように、磁気スイッチ３６は、コントローラ２０からの信号に従って、図１１の矢印方向に移動可能な突出部３６１を備える。
【０１３１】
突出部３６１が、第１の位置Ｌ１に最初に配置されると、移動部３３は、突出部３６１によって支持される間に中央停止部３２３に停止して配置されるが、突出部３６１が第２の位置Ｌ２に動作すると、移動部３３は中央停止部３２３から移動する。これに関しては、以降に詳しく記載する。
【０１３２】
次に、本発明の第３の典型的な実施形態による切換装置３０の動作に関して記載する。
【０１３３】
図１２及び図１３は、切換装置の作動状態を示す。
【０１３４】
本発明の第３の典型的な実施形態による半自動スイッチがオフの場合、言わば、図１１に示すように、切換装置３０の移動部３３が、初期停止部３２１によって初期位置に配置される場合、電力供給路は遮断されることから、ロード部３は作動しない。
【０１３５】
ユーザーが、入力切換器１０によって作動する切換装置３０の圧力部３４を押下して半自動スイッチをオンすると、図１２に示すように移動部３３のガイド突起３３２は中央停止部３２１から移動し、第１のガイド部３２２に沿って移動する。
【０１３６】
移動部３３は、圧力部３によって＋Ｙ軸方向（第１の方向）に加わる圧力と、弾性部３５によって−Ｙ軸方向（第２の方向）に加わる弾性力と、弾性部材３３３によって＋Ｘ軸方向（第３の方向）に加わる弾性力とによって第１のガイド部３２２に沿って移動し、中央停止部３２３によって停止される。この時点では、磁気スイッチ３６の突出部３６１が第１の位置Ｌ１に配置されるため、移動部３３のガイド突起３３２は、中央停止部３２３によって停止される停止状態を維持する。
【０１３７】
移動部３３が停止すると、電力供給路は電力を供給するように形成され、ロード部３は作動する。この場合、第１及び第２の典型的な実施形態のように、コントローラは、動作検知センサ２からの検知信号が送信されるかどうかを判断する。
【０１３８】
検知信号が送信されない場合は、コントローラ２０はタイマを作動し、タイマによる計測時間が所定時間を経過すると、切換装置３０の作動を停止する。言い換えると、コントローラ２０は切換装置３０に作動停止信号を出力し、切換装置３０の磁気スイッチ３６の突出部３６１は作動停止信号による第２の位置Ｌ２に移動する。
【０１３９】
この場合、計測時間を所定時間と比較するほかに、制御パラメータとして反復数を使用することによって、第１及び第２の典型的な実施形態のように、計測時間が所定時間を経過する回数を示す反復数が、所定数より大きい場合に、コントローラ２０は切換装置３０の作動を停止してもよい。
【０１４０】
図１３に示すように、切換装置３０の作動を停止することによって、中央停止部３２３に対応する作動位置で停止していた移動部３０のガイド突起３３２は、磁気スイッチ３６の突出部３６１によって、第２のガイド部３２４に沿って動作する。
【０１４１】
移動部３３が作動位置から移動すると、電力供給路は遮断され、ロード部３の作動は停止する。切換装置３０の移動部は、第２のガイド部３２４に沿って移動することによって初期位置に戻る。
【０１４２】
この時点で、ヒンジ部材３２５は移動部３３のガイド突起３３２によって矢印の方向に回転し、ガイド突起３３２が初期位置に配置されると、反対の矢印の方向に回転して初期停止部３２１に配置される移動部３３のガイド突起３３２を支持する。
【０１４３】
記載する過程では、切換装置３０は、手動でオンになった場合に自動でオフになってもよい。
【０１４４】
一方、移動部３０が中央停止部３２３による作動位置で停止する場合に、ユーザーが再び圧力部３４に手動で押下すると、移動部３０のガイド突起３３２は、圧力部３４に加わる圧力と弾性部材３３３からの弾性力によって、中央停止部３２３から移動することにより、磁気スイッチ３６の突出部３６１が第２のガイド部３２４に沿って第１の位置Ｌ１から移動し、初期位置に戻る。
【０１４５】
この場合、中央停止部３２３からのガイド突起３３２が第２のガイド部３２４に移動すると、ガイド突起３３２と磁気スイッチ３６との間の摩擦は、最大抵抗力として機能するが、摩擦は、摩擦係数の低い材料で作製することによって少なくしてもよい。従って、磁気スイッチ３６の作動力が低くなるように制御することが可能である。
【０１４６】
記載する過程では、切換装置３０が手動でオンになった場合に、コントローラ２０の制御によらず、切換装置３０を手動でオフにしてもよい。
【０１４７】
第３の典型的な実施形態によって、第１及び第２の典型的な実施形態と同じ効果を得ることができる。
【０１４８】
さらに、第３の典型的な実施形態による切換装置３０は、第１及び第２の典型的な実施形態に適用することができる。
【０１４９】
一方、第１〜３の典型的な実施形態では、半自動スイッチ１は、センサコントローラをさらに備えてもよく、コントローラ２０の制御に従って、動作検知センサ２からの信号を選択的に制御することにより、コントローラ２０は、動作検知センサ２と協働して、対象物体がその領域にあるかどうかを効率的に判断する。
【０１５０】
これより、本発明の第４の典型的な実施形態によるセンサコントローラと協働する半自動スイッチに関して記載する。
【０１５１】
図１４は、本発明の第４の典型的な実施形態による半自動スイッチの構成図である。
【０１５２】
図１４に示すように本発明の第４の典型的な実施形態による半自動スイッチは、上記の典型的な実施形態のように、入力切換器１０、コントローラ２０及び切換装置３０を備える。このスイッチは、コントローラ２０の制御に基づいて動作検知センサ２に入力される対象物体からの信号を制御するセンサコントローラ５０をさらに備える。
【０１５３】
例えば、センサコントローラ５０は、第１の典型的な実施形態の構成を有する半自動スイッチに適用され、コントローラ２０は入力切換器１０の作動状態に従って切換装置３０を作動するが、本発明の第４の典型的な実施形態はこれに限定されない。言い換えると、センサコントローラ５０は、以下のようにして第２及び第３の典型的な実施形態に適用してもよい。
【０１５４】
本発明の第４の典型的な実施形態による半自動スイッチは、第１〜３の典型的な実施形態のように作動することが可能であることから、センサコントローラ５０の動作に焦点を合わせて記載する。
【０１５５】
動作検知センサ２は、対象物体が領域にあるかどうかを検知する場合、標的がその領域にいても、標的がその領域にないと判断することがある。
【０１５６】
これは動作検知センサ２の特徴によるものである。さらに具体的には、動作検知センサ２は、対象物体から光を検知する場合、例えば、赤外光の検知量が変化する場合に対象物体があると判断する。このため、対象物体が動作しないため、赤外光の検知量に変化がない場合は、動作検知センサ２は、対象物体がないと誤って判断することがある。
【０１５７】
本発明の第４の典型的な実施形態では、動作検知センサが誤って判断するのを防ぐために、センサコントローラ５０は、回転可能か、開閉されるように動作検知センサ２の入力側に設置される。第１〜３の典型的な実施形態のように、コントローラ２０は、条件が満たされている場合に作動し、動作検知センサ２からの信号に従って対象物体が存在するかどうかを判断し、所定時間までにセンサコントローラ５０に制御信号を出力する。
【０１５８】
そこで、センサコントローラ５０は、所定時間までに開／閉動作、回転動作または振動動作を実行し、センサコントローラ５０によって動作検知センサ２に入力される光の量を変化させる。
【０１５９】
その結果、対象物体が静止していても、ほとんど動作しなくても、動作検知センサ２によって検知される光の量は変化する。そこで、動作検知センサ２は光の変化量を検知し、対象物体が存在するかどうか直接判断したり、光の変化量に対応する信号をコントローラ２０に出力して、コントローラ２０は対象物体が存在するかどうか判断したりする。
【０１６０】
これにより、本発明の第４の典型的な実施形態では、半自動スイッチが作動すると、対象物体が存在しているかどうかを正確に判断することが可能である。これにより、対象物体が存在していても、半自動スイッチの作動が停止するのを防ぐ。
【０１６１】
一方、本発明の典型的な実施形態ではいずれも、コントローラ２０は、１または複数の動作検知センサを協働して作動してもよい。
【０１６２】
また、２つ以上の動作検知センサがある場合、各センサに対応してセンサコントローラを設置してもよく、上に記載するようにコントローラによって制御してもよい。
【０１６３】
特に、動作検知センサをグループに分けてもよい。この時点で、各グループの動作検知センサが上記の作動条件を満たす場合は、各グループに対応する各領域に設置されるロード部（例えば、照明）が同時に作動してもよい。
【０１６４】
例えば、オフィスまたは講義室では、天井から吊るす何十もの照明をグループに分け、各グループに対応する動作検知センサが適切に配置され、各センサに対応する半自動スイッチが壁面スイッチとして使用される。この場合、各グループに対応する領域に人がいても、ユーザーの意思に応じて各半自動スイッチにオン／オフにして、対応する領域の照明を自由に使用することが可能である。本願明細書では、いずれの動作検知センサからの信号がない場合に、オフィスや講義室に供給される電力を遮断し、その場所にある電化製品をすべてオフする別の電気装置を配置してもよい。
【０１６５】
さらに、典型的な実施形態による半自動スイッチの一部として動作検知センサまたは入力切換器を内蔵したり、取り付けたりする形態で新しい電化製品を製造してもよい。
【０１６６】
さらに、典型的な実施形態による半自動スイッチを既存の電化製品に利用する場合、複数のコンセントがある電源タップの形態で実現してもよい。本願明細書では、複数のコンセントがある電源タップは半自動スイッチのロード部として作動する。記載する典型的な実施形態にあるような既存の複数のコンセントがある電源タップに差し込まれる既存の電化製品に電力を供給することが可能である。常にオンにする必要がある電化製品の一般のスイッチの形態で、複数のコンセントがある電源タップのプラグを実現してもよい。
【０１６７】
また、遠隔操作によって典型的な実施形態による半自動スイッチの入力切換器を作動させてもよい。当業者であれば、典型的な実施形態に基づいて実施することが可能であることから、詳しい記載を省略する。
【０１６８】
本発明は、実用的かつ典型的な実施形態であるとして現在考えられているものに関して記載してきたが、本発明は、開示する実施形態に限定されず、反対に当然のことながら、本願の請求の趣旨及び範囲に含まれるさまざまな変更例や均等構成に及ぶ。
【符号の説明】
【０１６９】
１  半自動スイッチ
３１  ケース
３２  ガイド部
３２１  初期停止部
３２２  第１のガイド部
３２３  中央停止部
３２４  第２のガイド部
３２５  ヒンジ部材
３３  移動部
３３１  ガイド溝
３３２  ガイド突起
３３３  弾性部材
３４  圧力部
３５  弾性部
３６  磁気スイッチ
３６１  突出部
【図１】
2012510105.tif 000003
【図２】
2012510105.tif 000004
【図３】
2012510105.tif 000005
【図４】
2012510105.tif 000006
【図５】
2012510105.tif 000007
【図６】
2012510105.tif 000008
【図７】
2012510105.tif 000009
【図８】
2012510105.tif 000010
【図９】
2012510105.tif 000011
【図１０】
2012510105.tif 000012
【図１１】
2012510105.tif 000013
【図１２】
2012510105.tif 000014
【図１３】
2012510105.tif 000015
【図１４】
2012510105.tif 000016
【国際調査報告】
2012510105.tif 000017
2012510105.tif 000018